(57)【要約】【課題】簡易な構成で、冷却ファン４を装置筐体１の所定位置に正確に位置決めする。【解決手段】底面板１ａを有する装置筐体１と、前記底面板１ａに形成された円孔８と、前記装置筐体１と非接触状態で冷却ファン４を支持する支持部５と、前記支持部５に固定され、前記円孔８を自由に通過する部分を有する位置決め用ピン７と、前記位置決め用ピン７の上部に形成された円錐部７ｂとを備え、前記円錐部７ｂの最大直径Ｄmaxは前記円孔８の直径ｄよりも大きく、前記円錐部７ｂの最小直径Ｄminは前記円孔８の直径ｄよりも小さい。【効果】前記装置筐体１を持ち上げたときに、この円錐部７ｂが前記円孔８に引っかかり、円錐部７ｂの中心線が円孔８の中心を通るようになり、前記支持部５が装置筐体１に対して正確に位置決めされる。この状態から装置筐体を下ろしていくと、冷却ファン４が装置筐体の中の正確な位置を保持した状態で装置を使用することができる。【選択図】図３
2009047131.tif 000002
【特許請求の範囲】
【請求項１】
底面板を有する装置筐体と、
前記底面板に形成された円孔と、
前記装置筐体と非接触状態で冷却ファンを支持する支持部と、
前記支持部に固定され、前記円孔を自由に通過する部分を有する位置決め用ピンと、
前記位置決め用ピンの上部に形成された円錐部とを備え、
前記円錐部の最大直径は前記円孔の直径よりも大きく、前記円錐部の最小直径は前記円孔の直径よりも小さいことを特徴とする冷却ファンの支持機構。
【請求項２】
前記位置決め用ピンは、少なくとも２つ備えられている請求項１記載の冷却ファンの支持機構。
【請求項３】
前記円孔は、前記底面板に４つ形成され、前記位置決め用ピンは、対角に設けられている請求項２記載の冷却ファンの支持機構。
【請求項４】
前記装置筐体は設置テーブルに当接する第一の脚を有し、前記支持部は前記設置テーブルに当接する第二の脚を有し、前記装置筐体を設置テーブルに設置したとき、前記第二の脚が先に設置テーブルに当接するものである請求項１記載の冷却ファンの支持機構。
【発明の詳細な説明】
【技術分野】
【０００１】
本発明は、冷却ファンの振動が特性に影響を及ぼす装置に適用される冷却ファンの支持機構に関するものである。前記装置として、光散乱測定装置などの各種測定装置、コンピュータなどの各種電子装置、情報通信装置、精密装置などがあげられる。
【背景技術】
【０００２】
光散乱測定装置などの各種測定装置、コンピュータなどの各種電子装置には、装置内の温度の上昇を招かないように、冷却ファンが内部に設置されている。
ところが冷却ファンは、ファンモータによって羽根が回転するため、振動が発生する。
この振動が装置特性に悪い影響を及ぼすことがある。
そこで、ファンモータと装置筐体との間に防振ゴムを介在させて、この防振ゴムにより振動を吸収することが行われているが（特許文献１参照）、防振性能は、防振ゴムの形状、材質に左右される。完全な防振を行うためには、大きな防振ゴム、優れた材質の防振ゴムを使用しなければならず、装置の体積が大きくなり、高価になる。またどんな防振ゴムを使用しても完全な防振は困難である。
【０００３】
そこでファンモータを装置筐体に直接取り付けることなく、ファンモータを支持する支持部を、装置筐体を支える設置テーブルに直接設置することが行われている。この配置によれば、ファンモータを装置筐体から構造的に切り離すことができるので、ファンモータの振動が装置筐体に直接伝わるのを防ぐことができる。
【特許文献１】特開平１０−１１０６９９号公報
【発明の開示】
【発明が解決しようとする課題】
【０００４】
ところが、ファンモータの支持部を、装置筐体を支える設置テーブルに直接設置した場合、ファンモータは装置筐体に接触していないので、ファンモータを装置筐体の所定位置に正確に位置決めをすることが難しくなる。
位置決めをする方法として、設置テーブルに所定形状の治具を置き、装置筐体をその治具の所定位置に置き、ファンモータをその治具の他の所定位置に置いて両者の位置決めをすることが考えられるが、治具を用意しなければならないので面倒である。
【０００５】
そこで本発明は、簡易な構成で、冷却ファンを装置筐体の所定位置に正確に位置決めすることのできる冷却ファンの支持機構を提供することを目的とする。
【課題を解決するための手段】
【０００６】
本発明の冷却ファンの支持機構は、底面板を有する装置筐体と、前記底面板に形成された円孔と、前記装置筐体と非接触状態で冷却ファンを支持する支持部と、前記支持部に固定され、前記円孔を自由に通過する部分を有する位置決め用ピンと、前記位置決め用ピンの上部に形成された円錐部とを備え、前記円錐部の最大直径は前記円孔の直径よりも大きく、前記円錐部の最小直径は前記円孔の直径よりも小さいことを特徴とする。
【０００７】
この構成によれば、前記支持部に固定された位置決め用ピンの上部には、最大直径が前記円孔の直径よりも大きく形成された円錐部が形成されているので、前記装置筐体を持ち上げたときに、この円錐部が前記円孔に引っかかり、円錐部の中心線が円孔の中心を通るようになる。従って、前記支持部が装置筐体に対して正確に位置決めされる。この状態から装置筐体を下ろしていくと、冷却ファンが装置筐体の中の正確な位置を保持した状態で装置を使用することができる。このように、装置筐体を上げ下ろしするだけで、冷却ファンの位置が機械的に決り、調整を必要としない。また装置を移動する場合も、冷却ファンは装置から外れることはない。
【０００８】
前記位置決め用ピンは、少なくとも２つ備えられていれば、正確な位置決めをすることができる。
前記円孔が前記底面板に４つ形成されている場合、前記位置決め用ピンは、対角に設けることが好ましい。対角に設けることにより、位置決め精度を最も上げることができる。
前記装置筐体は設置テーブルに当接する第一の脚を有し、前記支持部は前記設置テーブルに当接する第二の脚を有し、前記装置筐体を設置テーブルに設置したとき、前記第二の脚が先に設置テーブルに当接するものであることが好ましい。装置筐体を降ろすと第二の脚が先に設置テーブルに着地し、その後に装置筐体の第一の脚が着地することにより、前記支持部及び冷却ファンが装置筐体に接触することを防ぐことができる。
【発明を実施するための最良の形態】
【０００９】
以下、本発明の実施の形態を、添付図面を参照しながら詳細に説明する。
図１は、本発明の冷却ファンの支持機構を含む測定装置の全体構造を示す斜視図である。
１は測定装置の装置筐体を示す。装置筐体１の底面板１ａの四隅には、装置筐体１を設置テーブルに置くときのスペーサとなるゴム脚２（第一の脚に相当）が取り付けられている。装置筐体１の底面板１ａには冷却ファン４を通過させるための冷却ファン挿通孔３が設けられている。その冷却ファン挿通孔３の周囲には、位置決めピン７が上下に移動可能に挿通される円孔８が、４つ設けられている。
【００１０】
冷却ファン４は、平らなファン支持板５の上面に設置固定されている。ファン支持板５には、冷却ファン４によって発生される風を通す通風孔５ａが設けられ、その四隅に、設置テーブル１０に置くときのスペーサとなるとともに、振動を吸収するためのゴム脚６（第二の脚に相当）が取り付けられている。さらに、ファン支持板５の上面には、前記位置決めピン７を固定するための構造、例えば位置決めピンの下端が挿入されるネジ孔（図示せず）が形成されている。
【００１１】
図２は、冷却ファンの支持機構の要部を示す外観斜視図である。ファン支持板５の上面には冷却ファン４が設置固定されるとともに、前記４つの位置決めピン７が固定されている。位置決めピン７は、直立棒７ａと、その直立棒７ａの上部に固定され、テーパ状に広がって形成された円錐部７ｂとからなる。円錐部７ｂの最も高い部分すなわちその上面は最大直径Ｄmaxを有している。円錐部７ｂの最も低い部分は、直立棒７ａにつながっている。この円錐部７ｂの最も低い部分の直径をＤminとする。
【００１２】
図３は、位置決めピン７の直立棒７ａを、装置筐体１の底面の円孔８に上から通し、直立棒７ａの下端をファン支持板５に固定した状態を示す断面図である。この状態で、装置筐体１は持ち上げられており、ゴム脚２及びゴム脚６は設置テーブル１０から浮いている。
冷却ファン４は、装置筐体１の底面に設けられた冷却ファン挿通孔３を通って、装置筐体１内部の被冷却物９に対面している。この図３のように、装置筐体１の底面の円孔８の直径ｄは、
Ｄmin＜ｄ＜Ｄmax
の関係を満たしている。したがって、位置決めピン７の円錐部７ｂは、装置筐体１を持ち上げたときに、装置筐体１の底面の円孔８の周囲に引っ掛かり、冷却ファン４及びファン支持板５が持ち上げられるようになる。
【００１３】
このとき、位置決めピン７の円錐部７ｂは、装置筐体１の底面の円孔８に対して、水平方向に位置決めされる（すなわち円錐部７ｂの中心線が円孔８の中心に重なる）ので、ファン支持板５を装置筐体１の被冷却物９に対して、正確に所定位置に置くことができる。この「所定位置」とは、冷却ファン４が最も効率よく被冷却物９を冷やすことのできる位置である。
【００１４】
この位置決めピン７の円錐部７ｂが円孔８に接触しているときの、ゴム足６の底面から位置決めピン７の当該接触部分までの高さをＪと書く。装置筐体１のゴム脚２の高さＨと、装置筐体１の底面の厚みｓと、前記高さＪとの関係は、
Ｈ＋ｓ＜Ｊ
である必要がある。この関係が満たされていれば、装置筐体１を降ろすと脚６が先に設置テーブルに着地し、その後に装置筐体１の脚２が着地することにより、位置決めピン７を装置筐体１に接触することを防ぐことができる。
【００１５】
次に、装置筐体１を真下に下ろして、装置筐体１を設置テーブル１０に置く。この状態を図４に示す。同図によれば、装置筐体１のゴム脚２及びファン支持板５のゴム脚６が設置テーブル１０に当接している。
このとき、ファン支持板５は、装置筐体１の底面板１ａに接触してはいけない。接触すると冷却ファン４の振動が装置筐体１に直接伝達されるからである。したがって、装置筐体１のゴム脚２の高さＨと、ファン支持板５のゴム脚６の高さｈと、ファン支持板５の厚みｔとの関係は、
ｔ＋ｈ＜Ｈ
である必要がある。
【００１６】
以上のように、装置筐体１及びファン支持板５を設置テーブル１０に置いた状態では、冷却ファン４が装置筐体１の所定位置に置かれている。従って、冷却ファン４と被冷却物９との位置も、被冷却物９を最も効率よく冷やすことのできる位置となる。
このように、特別の治具を用いて装置筐体１及びファン支持板５の位置を合わせなくても、装置筐体１を持ち上げて下ろすという簡単な動作で、冷却ファン４を装置筐体１内の所定位置に置くことができる。装置筐体１を持ち上げるという動作は、装置筐体１を設置テーブル１０に設置するとき必ず行う動作なので、設置者は、特に位置合わせの動作をしなくても、冷却ファン４を装置筐体１内の所定位置に設置することができる。
【００１７】
次に、本発明の他の実施形態を説明する。
図５は、冷却ファンの支持機構を、装置筐体１の中に配置した測定装置の構造を示す断面図である。
１は測定装置の装置筐体を示す。装置筐体１の底面板１ａの四隅には、装置筐体１を設置テーブル１０に置くためのゴム脚２が取り付けられている。装置筐体１の底面板１ａには、位置決めピン７を上下に移動させるための円孔８が４つ設けられている。
【００１８】
冷却ファン４は、ファン支持板５の上面に設置固定されている。ファン支持板５の底面には、冷却ファン４によって発生される風を通す通風孔５ａが設けられ、その四隅に、位置決めピン７の上面が固定されている。
ファン支持板５に取り付けられた冷却ファン４の直ぐ下には、装置筐体１に取り付けられた電気基板１２が存在し、電気基板１２の上には、ＣＰＵ等の発熱部を含む被冷却物９が搭載されている。
【００１９】
位置決めピン７の下部には、設置テーブル１０に当接するためのゴム足６が形成されている。位置決めピン７は、直立棒７ａと、その直立棒７ａの上部に固着され、テーパ状に広がって形成された円錐部７ｂとからなる。円錐部７ｂの最も高い部分すなわちその上面はファン支持板５に装着され、最大直径Ｄmaxを有している。円錐部７ｂの最も低い部分は、直立棒７ａにつながっている。この円錐部７ｂの最も低い部分の直径をＤminとする。
【００２０】
装置筐体１の底面の円孔８の直径ｄは、
Ｄmin＜ｄ＜Ｄmax
の関係を満たしている。したがって、位置決めピン７の円錐部７ｂは、装置筐体１を持ち上げたときに、装置筐体１の底面の円孔８の周囲に引っ掛かり、冷却ファン４及びファン支持板５が持ち上げられるようになる。
【００２１】
このとき、位置決めピン７の円錐部７ｂは、装置筐体１の底面の円孔８に対して、水平方向に位置決めされる（すなわち円錐部７ｂの中心線が円孔８の中心と重なる）ので、ファン支持板５を装置筐体１内の被冷却物９に対して、正確に所定位置に置くことができる。この「所定位置」とは、冷却ファン４が最も効率よく被冷却物９を冷やすことのできる位置である。
【００２２】
なお、図５に示すように、装置筐体１のゴム脚２及びファン支持板５のゴム脚６が設置テーブル１０に当接しているとき、ファン支持板５や位置決めピン７は装置筐体１に接触してはいけない。位置決めピン７の円錐部７ｂの外径が装置筐体１の底面の円孔８に接触するときの、位置決めピン７のゴム足６の底面から当該接触部分までの高さをＪと書く。装置筐体１のゴム脚２の高さＨと、装置筐体１の底面の厚みｓと、前記高さＪとの関係は、
Ｈ＋ｓ＜Ｊ
である必要がある。この関係が満たされていれば、装置筐体１を降ろすと脚６が先に設置テーブルに着地し、その後に装置筐体１の脚２が着地することにより位置決めピン７が装置筐体１に接触することを防ぐことができる。
【００２３】
この実施形態においても、装置筐体１及びファン支持板５を設置テーブル１０に置いた状態では、冷却ファン４が装置筐体１の所定位置に置かれている。従って、冷却ファン４と被冷却物９との位置も、被冷却物９を最も効率よく冷やすことのできる位置となる。
図６は、冷却ファン４を、装置筐体１の中に垂直に配置した測定装置の構造を示す断面図である。
【００２４】
１は測定装置の装置筐体を示す。装置筐体１の底面板１ａの所定位置には、装置筐体１を設置テーブル１０に置くためのゴム脚２が取り付けられている。装置筐体１の底面板１ａには、位置決めピン７を上下に移動させるための円孔８が設けられている。ファン支持板５は、Ｌ字型になっていて、水平部分（底面という）と垂直部分（側面という）とからなる。このファン支持板５の側面に冷却ファン４が設置固定されている。側面には、冷却ファン４によって発生される風を通す通風孔５ａが設けられている。なお、ファン支持板５に取り付けられた冷却ファン４によって冷却される被冷却物の図示は省略している。
【００２５】
またファン支持板５の底面には、設置テーブル１０に当接するためのゴム足６が取り付けられ、ファン支持板５の底面の上部には、位置決めピン７が配置されている。位置決めピン７の形状は、図１〜図４に示した位置決めピン７と同様であり、装置筐体１の底面の円孔８の直径ｄは、装置筐体１を持ち上げたときに、装置筐体１の底面の円孔８の周囲に引っ掛かるように、
Ｄmin＜ｄ＜Ｄmax
の関係を満たしている必要があることも同様である。また装置筐体１を設置テーブル１０に置いたとき、ファン支持板５は、装置筐体１の底面板１ａに接触してはいけないので、装置筐体１のゴム脚２の高さＨと、ファン支持板５のゴム脚の高さｈと、ファン支持板５の厚みｔとの関係は、
ｔ＋ｈ＜Ｈ
である必要があることも、図４の場合と同様である。
【００２６】
この図６の実施形態において、位置決めピン７の円錐部７ｂは、装置筐体１を持ち上げたときに、装置筐体１の底面の円孔８の周囲に引っ掛かり、冷却ファン４及びファン支持板５が持ち上げられるようになり、このとき円錐部７ｂは、装置筐体１の底面の円孔８に対して、水平方向に位置決めされる（すなわち円錐部７ｂの中心線が円孔８の中心を通る）ので、ファン支持板５を装置筐体１内の被冷却物に対して、正確に所定位置に置くことができる。
【００２７】
以上で、本発明の実施の形態を説明したが、本発明の実施は、前記の形態に限定されるものではない。例えば、いままでの説明は、ファン支持板５に装着された位置決めピン７は、すべて円錐部７ｂを持っていた。しかし、円錐部７ｂを持つ位置決めピン７は、最低２つあればよい。例えば図７〜図９に示すように、対角に配置された２つの位置決めピン７のみ、円錐部７ｂを持つようにしてもよい。他の対角に配置された２つのピン７′は、装置筐体１の底面板１ａに形成された円孔８を通過可能な直立棒７′ｃと、その直立棒７′ｃの上部に固定された、大きな直径の頭部７′ｄとからなる。この頭部７′ｄの直径は、装置筐体１を持ち上げたときに引っかかるように、装置筐体１の底面板１ａに形成された円孔８の直径よりも大きいことが必要である。なお、図８，図９に示すように、直立棒７′ｃの外周面にゴムＧを装着して、直立棒７′ｃが円孔８に直接的に接触しないようにしてもよい。
【００２８】
また、いままで説明した位置決めピン７の形状は、完全な円錐部７ｂを持っていたが、円錐の一部のみを持っていても良い。例えば、図１０に示すように、円錐の頂部から、底部にまで伸びた円錐の一部７ｅのみを持っていても良い。
また、図１１に示すように、またテーパを持たない、円柱状の位置決めピン７″を採用することもできる。この位置決めピン７″は、断面円形の円柱棒７″ａと、その円柱棒７″ａの上部に固定された、大きな直径の頭部７″ｂとからなる。この頭部７″ｂの直径は、装置筐体１を持ち上げたとき装置筐体１の底面板１ａに配置したゴムＧに引っかかるように、ゴムＧの孔ｇの内径よりも大きくなっている。また円柱棒７″ａの直径は、ゴムＧの孔ｇの内径よりもわずかに小さくなっている。この円柱棒７″ａの直径とゴムＧの孔ｇの内径との差が「位置決め誤差」になるので、円柱棒７″ａの直径とゴムＧの孔ｇの内径との差はできるだけ少ないほうが良い（例えば１ｍｍ程度）。円柱棒７″ａの直径とゴムＧの孔ｇの内径との差がこれより少なすぎると、円柱棒７″ａがゴムＧの孔ｇをスムーズに上下移動できなくなる。
【図面の簡単な説明】
【００２９】
【図１】本発明の実施形態に係る冷却ファンの支持機構を含む測定装置の全体構造を示す斜視図である。
【図２】冷却ファンの支持機構の要部を示す外観斜視図である。
【図３】装置筐体１を持ち上げた状態を示す断面図である。
【図４】装置筐体１を設置テーブル１０に置いた状態を示す断面図である。
【図５】冷却ファンの支持機構を、装置筐体１の中に配置した測定装置の構造を示す断面図である。
【図６】冷却ファン４を、装置筐体１の中に垂直に配置した測定装置の構造を示す断面図である。
【図７】位置決めピン７を対角に配置した冷却ファンの支持機構の要部を示す外観斜視図である。
【図８】装置筐体１を持ち上げた場合の断面図である。
【図９】装置筐体１を設置テーブル１０に下ろした場合の断面図である。
【図１０】円錐の一部のみを持っている位置決めピン７の形状を示す斜視図である。
【図１１】円錐部を持たない、円柱状の位置決めピン７″を示す斜視図（ａ）及び断面図（ｂ）である。
【符号の説明】
【００３０】
１  装置筐体
１ａ  装置筐体の底面
２，６  ゴム脚
４  冷却ファン
５  ファン支持板
７  位置決めピン
７ａ  直立棒
７ｂ  円錐部
８  孔
９  被冷却物
１０  設置テーブル
【図１】
2009047131.tif 000003
【図２】
2009047131.tif 000004
【図３】
2009047131.tif 000005
【図４】
2009047131.tif 000006
【図５】
2009047131.tif 000007
【図６】
2009047131.tif 000008
【図７】
2009047131.tif 000009
【図８】
2009047131.tif 000010
【図９】
2009047131.tif 000011
【図１０】
2009047131.tif 000012
【図１１】
2009047131.tif 000013